(57)【要約】      （修正有）【課題】消臭材の総面積を大きくし、本体容器に形成される臭気流入口の総面積も大きくとることが可能で、消臭効果をより高めることのでき、設置した場合に邪魔になり難い消臭用具を提供する。【解決手段】多数の臭気流入口１２が形成された薄板状のベース部材１０と、ベース部１０に固定自在に設けられるとともに多数の臭気流入口７６が形成された薄板状のカバー部材７０と、が備えられた容器本体２と、容器本体２内に取り付け可能に設けられた薄板状の消臭布２０を設けた。容器本体２内部にはセラミックスボール５０を収容し  ベース部材７０には、装飾部材４０を固定可能な粘土製の固定部材３０を設け、固定部材３０を穿刺固定可能な針１９を設け、固定部材３０を収容保持可能な収容リブ１８を設けた。【選択図】図２
0003158975.tif 000002
【実用新案登録請求の範囲】
【請求項１】
多数の臭気流入口が形成された薄板状のベース部材と、該ベース部材に固定自在に設けられるとともに多数の臭気流入口が形成された薄板状のカバー部材と、が備えられた容器本体を有するとともに、該容器本体内に取り付け可能に設けられた薄板状の消臭材が備えられたことを特徴とする消臭用具。
【請求項２】
前記容器本体内部にセラミックスボールを収容したことを特徴とする請求項１に記載の消臭用具。
【請求項３】
前記ベース部材に、装飾部材を固定可能な粘土製の固定部材が備えられたことを特徴とする請求項１又は請求項２に記載の消臭用具。
【請求項４】
前記ベース部材には、前記固定部材を穿刺固定可能な針が備えられるとともに前記固定部材を収容保持可能な収容リブが設けられたことを特徴とする請求項３に記載の消臭用具。
【請求項５】
前記カバー部材の中央に、前記装飾部材を透視可能な透明又は半透明の材質で形成されるとともに、臭気流入口が形成されたケース部材が取付可能に設けられたことを特徴とする請求項３又は請求項４に記載の消臭用具。
【考案の詳細な説明】
【技術分野】
【０００１】
この考案は消臭用具に関し、特に、家庭用・自動車用の消臭用具に関する。
【背景技術】
【０００２】
従来の消臭用具には、例えば、流動状の消臭材や、粒状の消臭材などを容器内部に収容するものが知られている。これらの消臭用具では内部にこれらの消臭材が取り付けられて、消臭用具の本体容器外部の臭気を吸着するように構成されている（例えば、特許文献１）。
【先行技術文献】
【特許文献】
【０００３】
【特許文献１】実用新案登録第３０４５６８０号公報
【考案の概要】
【考案が解決しようとする課題】
【０００４】
しかしながら前述した従来の消臭用具では、本体容器の一部にしか外部と連通する臭気流入口がないため、外部の臭気の吸着が容易ではなかった。特に、所定の場所に載置する種類の消臭用具では、載置面以外の本体容器に臭気流入口を設けることになるが、載置面には臭気流入口が設けられず、また、箱状の消臭用具などにおいては、内部に取り付けられた消臭材の総面積が十分にとることができず、いずれにおいても消臭効果が十分には期待できなかった。
【０００５】
本考案は前述した従来の消臭用具の問題点を解決しようとするものであり、内部に取付られた消臭材の総面積を大きくするとともに、本体容器に形成される臭気流入口の総面積も大きくとることが可能とすることにより、消臭効果をより高めることのできる消臭用具を提供することを第一の目的とする。また、設置した場合に邪魔になり難い消臭用具を提供することも目的とする。
【課題を解決するための手段】
【０００６】
前述した課題を解決するための第一の手段は、（１）多数の臭気流入口が形成された薄板状のベース部材と、該ベース部に固定自在に設けられるとともに多数の臭気流入口が形成された薄板状のカバー部材と、が備えられた容器本体を有するとともに、該容器本体内に取り付け可能に設けられた薄板状の消臭材が備えられたことを特徴とする消臭用具である。
【０００７】
本考案では、薄板状のベース部材及びカバー部とするとともに消臭材についても薄板状に形成されている。よって、容器本体及び消臭材ともに薄型に形成することができる。そして、ベース部及びカバー部が薄板状に薄く形成されているので、容積あたりの総面積を大きくすることができる。よって、多数の臭気流入口の総面積も大きくとることができる。また、この容器本体に合わせて消臭材の総面積も大きくとることができる。よって、薄型に設けて設置場所周囲の邪魔になり難くできる一方で、十分な吸着効果も備えた消臭用具とすることができる。なお、本考案における「薄板状の消臭材」は、板状のもののほかに布製などの薄い素材により形成されるものも含む趣旨である。
【０００８】
（２）また、第二の手段は、前記消臭用具において、前記容器本体内部にセラミックスボールを収容したことを特徴とする消臭用具である。
【０００９】
セラミックスボールを収容したことにより、低線量放射線による「ホルミシス効果」をもたらすこともでき、活性酸素の低減による疾病要因の低減や老化促進の防止をおこなうことができる。
【００１０】
（３）前記ベース部材に、装飾部材を固定可能な粘土製の固定部材が備えられたものとすることもできる。
【００１１】
このような固定部材により、例えば造花などの装飾部材を固定可能に設けることができ、簡便にこのような装飾部材を固定することができる。なお、「装飾部材」の例としては、造花以外にも各種の装飾用の部材とすることができ、これらを適宜固定すればよい。
【００１２】
（４）また、前記ベース部材には、前記固定部材を穿刺固定可能な針が備えられるとともに前記固定部材を収容保持可能な収容リブが設けられるものとすることもできる。
【００１３】
このような針及び収容リブを設けることにより、ベース部材に対して粘土製の固定部材を確実に保持・固定することができ、消臭用具の使用中に固定部材がベース部材から外れて容器内部において転がったり、がたつき音を生じたりすることを防止することができる。「針」については針状のものであれば特に形状・数は限定されない。また、「収容リブ」は、例えば、ベース部材底面から立設して所定範囲を囲むように形成されたものなどを例示することができるが、固定される粘土製の固定部材を収容保持可能であれば、他の形状としても良い。
【００１４】
（５）また、前記カバー部材の中央に、前記装飾部材を透視可能な透明又は半透明の材質で形成されるとともに、臭気流入口が形成されたケース部材が取付可能に設けられるものとすることもできる。
【００１５】
このようなケース部材によって、装飾部材を視認容易にすることができるとともに、同時にケース部材に形成される臭気流入口も利用して外部の臭気を吸着可能とできる。
【考案の効果】
【００１６】
本考案の消臭用具は、上記の構成であるから、内部に取付られた消臭材の総面積を大きくするとともに、本体容器に形成される臭気流入口の総面積も大きくとることが可能となるので、消臭効果をより高めることができる。また同時に、薄型に形成されているので、設置した場合に周囲の邪魔になり難くくすることができる。
【００１７】
また、請求項２の消臭用具では、活性酸素の低減による疾病要因の低減や老化促進の防止を実現することもできる。また、請求項３の消臭用具では、簡便にこのような装飾部材を固定することができ、美観上も優れた消臭用具とすることができる。また、請求項４の消臭用具では、固定部材がベース部材から外れて容器内部において転がったり、がたつき音を生じたりすることを防止することもできる。また、請求項５の消臭用具では、装飾部材を視認容易にすることができるとともに、同時にケース部材に形成される臭気流入口も利用して外部の臭気を吸着可能とでき臭気の吸着効果をより高めることができる。
【図面の簡単な説明】
【００１８】
【図１】本考案の消臭用具の斜視図である。
【図２】図１の消臭用具の分解斜視図である。
【図３】図１の消臭用具の側面視分解断面図である。
【考案を実施するための形態】
【００１９】
次いで、本考案の消臭用具について、図面を参照して詳細に説明する。図１及び図２に示されるように、本消臭用具１には、ベース部材１０と、消臭布２０と、固定部材３０と、装飾部材４０と、セラミックスボール５０と、ケース部材６０と、カバー部材７０とが備えられており、ベース部材１０とカバー部材７０とにより容器本体２が構成されている。この消臭用具１はベース部材１０裏側に取り付けられた粘着テープなどにより設置場所に固定されるものである。
【００２０】
図２に示されるように、ベース部材１０は、円盤状に形成されており、中心部周縁から外周面付近に向けて切り欠かれた臭気流入口１２が形成されており、これが円周方向に多数配置されている。本例では「円盤」状のものとしたが、例えば平面視四角の薄板状に形成することでも良い。これらの臭気流入口１２は、本例では「スリット」状に形成されている。そして、これらの臭気流入口１２を通じて、消臭用具１内部に取り付けられた消臭布２０などにより消臭用具１外部の臭気が吸着可能に設けられている。なお、本例においては臭気流入口１２の数は４０個設けられているが、これに限られず、例えば１０個から６０個程度の範囲で設けても良い。また、個々の臭気流入口１２の形状は「スリット」状に限らず、矩形状などに設けても良いが、限られた面積内において総面積を大きくするとともにベース部材の強度を確保するには本例のように「スリット」状とすることが望ましい。
【００２１】
また、ベース部材１０の外周付近の上面には上方に向けて盛り上げられたリブ１４が周設されている。そしてこのリブ１４には、４か所に均等に間隔を空けられて係合凹部１６が形成されている。これらの係合凹部１６は、後述するカバー部材７０の係合突起７５が係合可能に設けられている。
【００２２】
また、図３にも示されるように、ベース部材１０の中心部の周縁には、後述する固定部材３０が収容固定可能となるように円周上に立設された収容リブ１８が周設されている。収容リブ１８の中心には、固定部材３０に対して穿刺固定可能な針１９が上方に向けて突設されている。前述のように、例えば収容リブを平面視において四角となるように形成するなど他の形状としても良い。また、針１９は一つに限らず複数個以上設けることとしても良い。
【００２３】
収容リブ１８には、粘土製の固定部材３０が収容固定されている。固定部材３０は、収容リブ１８内に収容保持されるとともに、針１９によって穿刺固定されており、収容リブ１８内から容易には脱落しないように構成されている。
【００２４】
固定部材３０には、造花からなる装飾部材４０が固定されている。固定部材３０は、当初水分を多く含めて軟らかい状態とされており、この状態において収容リブ１８内に収容可能な形状に成型されるとともに、その上部には、一部を埋め込むようにして装飾部材４０が固定される。そして、装飾部材４０を固定した固定部材３０に針１９を突き刺すようにして固定部材３０を収容リブ１８内に押し込む。所定時間経過後には、固定部材３０が固化して、ベース部材１０側への固定、及び装飾部材４０の固定が確実なものとなる。
【００２５】
なお、前述したように、装飾部材４０は造花に限らず、人形、おもちゃその他の装飾的効果のあるものであれば他の種類のものでも良い。また、メッセージカードのような伝達媒体も用いること可能である。
【００２６】
また、このベース部材１０の上方には、収容リブ１８回りに挿嵌可能な挿嵌孔２２が形成された薄い消臭布２０が取り付けられている。平面視「ドーナツ型」に形成された消臭布２０は、前述の通り、収容リブ１８回りにその挿嵌孔２２が挿嵌されてベース部材１０に取り付けられている。消臭布２０に浸潤される消臭剤は公知の種々のものを用いればよい。また、布に限らず薄板状に形成される「消臭材」を用いることも可能である。
【００２７】
また、前述した収容リブ１８及びこれに固定される装飾部材４０の外周を覆うようにして、ケース部材６０が取り付けられている。ケース部材６０はほぼ半球形状の「ドーム型」に形成されており、透明なプラスチック製とされ、外部から、内部の装飾部材４０を視認可能に設けられている。また、ケース部材６０の上部寄りには臭気流入口６２が開口されている。臭気流入口６２は、ケース部材６０の頂点を囲むようにして円周上に多数配置されており、本例では、８個の臭気流入口６２が設けられている。また、本例においては、各臭気流入口６２は丸形に穿設されている。また、ケース部材６０の下端外径は、後述するカバー部材７０の開口部７１の内径よりも大きく設けられており、ケース部材６０が開口部７１からその上部を露呈しながらも、開口部７１の周縁部７４によってカバー部材７０内に固定可能となるように構成されている。なお、臭気流入口６２の形状・位置・数は、前述した目的の範囲内において適宜変更することとして良い。
【００２８】
カバー部材７０は、円盤状に形成されている。カバー部材７０の外周縁には、下方に向けて円周状に垂設されたリブ７２が形成されている。  このリブ７２の外周には、前述したベース部材１０の係合凹部１６内にスライド係合可能な係合突起７５が、４か所に均等に間隔を空けられて形成されている。そして、前述したように、平面視における中心部にはケース部材６０の上部寄りの部位を上方に露呈可能とするとともに、ケース部材６０の下端がカバー部材７０内に固定可能となるように、カバー部材７０の開口部７１の内径は、ケース部材６０の下端外径よりも小さく設けられている。
【００２９】
カバー部材７０の開口部７１の周囲には、中心部周縁から外周面付近に向けて切り欠かれた臭気流入口７６が形成されており、これが円周方向に多数配置されている。本例では「円盤」状のものとしたが、ベース部材と同様に、例えば平面視四角の薄板状に形成することでも良い。これらの臭気流入口７６は、本例では「スリット」状に形成されている。そして、これらの臭気流入口７６を通じて、消臭用具１内部に取り付けられた消臭布２０などにより消臭用具１外部の臭気が吸着可能に設けられている。なお、本例においては臭気流入口７６の数は４０個設けられているが、これに限られず、例えば１０個から６０個程度の範囲で設けても良いことはベース部材１０と同様である。また、個々の臭気流入口７６の形状は「スリット」状に限らず、矩形状などに設けても良いが、限られた面積内において総面積を大きくするとともにベース部材の強度を確保するには本例のように「スリット」状とすることが望ましい。
【００３０】
また、カバー部材７０により固定されたケース部材６０内にはセラミックスボール５０が収容されており、このセラミックスボール５０により「ホルミシス効果」をもたらすことができ、活性酸素の低減による疾病要因の低減や老化促進の防止をおこなうことができる。なお、本例では「筒」状のセラミックスボール５０としたが球状やペレット形状などの他の形状のセラミックスボールを用いても良い。
【００３１】
このように構成された消臭用具１は、薄型に設けられており、設置した場合にも周囲の邪魔になりにくい。また、円盤状とすることにより、周囲の部材や使用者が接触した場合などにも引っかかりが少なく、消臭用具１が設置場所から外れ難いように設けられている。また、臭気流入口１２，６２，７６の総面積が大きいので、臭気の吸着効果を高くすることができる。また、カバー部材７０を取り外すだけで、内部に収容されている消臭布２０、固定部材３０、装飾部材４０、セラミックスボール５０などを容易に交換することができる。
【産業上の利用可能性】
【００３２】
本考案は消臭用具に広く用いることができる。
【符号の説明】
【００３３】
１；消臭用具、２；容器本体、１０；ベース部材、１２；臭気流入口、１４；リブ、１６；係合凹部、１８；収容リブ、１９；針、２０；消臭布、２２；挿嵌孔、３０；固定部材、４０；装飾部材、５０；セラミックスボール、６０；ケース部材、６２；臭気流入口、７０；カバー部材、７１；開口部、７２；リブ、７４；周縁部、７５；係合突起、７６；臭気流入口。
【図１】
0003158975.tif 000003
【図２】
0003158975.tif 000004
【図３】
0003158975.tif 000005